(57)【特許請求の範囲】
【請求項１】
床の開口部の内周部に腰掛け部を設けるとともに腰掛け部に囲まれた部分に掘りテーブルの上方が開口した箱体を内装し、腰掛け部内に床下収納部を設け、腰掛け部の座部を着脱自在として床下収納部を開閉自在としたものであって、床の開口部の４辺縁に設けられた各框の内面に沿って４つの座部を配置し、隣接する座部同士を互いに内側にずれるのを防止するためのずれ防止用嵌め合い手段により接合し、座部の内側端部が掘りテーブルの箱体の上端部よりも内側に向けて突出していることを特徴とする収納部付き掘りテーブル。
【請求項２】
内部が床下収納部となった腰掛け部をアジャスタ装置により床下基盤に支持して成ることを特徴とする請求項１記載の収納部付き掘りテーブル。
【発明の詳細な説明】
【０００１】
【発明の属する技術分野】
本発明は、収納部付き掘りテーブルに関するものである。
【０００２】
【従来の技術】
従来から床の開口部に掘りテーブルの上方が開口した箱体を内装したものが知られている。このものにおいては、箱体の上端開口の周囲の床部分に人が腰を降ろし、足を箱体内に入れて使用するようになっている。このように、床に直接腰かけるため、座り心地がよくなく、したがって、従来にあっては、床に座布団を敷いてその上に腰掛けるようにしている。
【０００３】
しかしながら、このものにおいては、座布団を常に出しておく必要があり、また、座布団は移動するので、使い勝手が悪いとともに外観も悪くなる。
【０００４】
また、従来例にあっては、掘りテーブルにはテーブルとしての機能しかなく、他の機能が備わっておらず、掘りテーブルは単機能の商品でしかなかった。
【０００５】
【発明が解決しようとする課題】
本発明は上記の点に鑑みてなされたものであり、掘りテーブルを使用するに当たり、従来のように床に直接腰を降ろすことなく、掘りテーブルに備わった座部に腰を降ろして快適に使用でき、また、座部が掘りテーブルに備わっていることで、従来の座布団のように移動したりせずに、外観がよく、また、掘りテーブルにテーブルとしての機能の他に床下収納部としての機能を付加できる収納部付き掘りテーブルを提供することを課題とするものである。
【０００６】
【課題を解決するための手段】
上記課題を解決するために本発明に係る収納部付き掘りテーブルは、床１の開口部２の内周部に腰掛け部５を設けるとともに腰掛け部５に囲まれた部分に掘りテーブル３の上方が開口した箱体４を内装し、腰掛け部５内に床下収納部７を設け、腰掛け部５の座部６を着脱自在として床下収納部７を開閉自在としたものであって、床１の開口部２の４辺縁に設けられた各框８の内面に沿って４つの座部６を配置し、隣接する座部６同士を互いに内側にずれるのを防止するためのずれ防止用嵌め合い手段９により接合し、座部６の内側端部が掘りテーブル３の箱体４の上端部よりも内側に向けて突出していることを特徴とするものである。このような構成とすることで、掘りテーブル３の足を入れる箱体４の周囲に腰掛け部５を設けてあるので、腰掛け部５の座部６に腰を降ろして足を箱体４内に入れることができるものであり、従来のように床１に直接腰掛けたり、座布団に腰掛けたりする必要がない。また、腰掛け部５内に床下収納部７を設け、座部６を着脱することで、床下収納部７内への収納物の出入れができるものである。また、床１の開口部２の４辺縁に設けられた各框８の内面に沿って４つの座部６を配置し、隣接する座部６同士を互いに内側にずれるのを防止するためのずれ防止用嵌め合い手段９により接合しているので、特別な固定部品を用いることなく、嵌め合いにより隣接する座部６同士をずれないように框８の内面に沿って配設できるものである。更に、座部６の内側端部が掘りテーブル３の箱体４の上端部よりも内側に向けて突出しているので、座部６の内側端部が掘りテーブル３の箱体４の上端部よりも内側に向けて突出した部分に手を掛けて持ち上げることで、簡単に座部を取り外すことができるものである。
【０００９】
また、内部が床下収納部７となった腰掛け部５をアジャスタ装置１０により床下基盤１１に支持することが好ましい。このような構成とすることで、腰掛け部５にかかる人が座った場合の荷重と床下収納部７に収納した収納物の荷重、場合によっては箱体４にかかる荷重が合計された大きな荷重をアジャスタ装置１０により支えて支持できるものであり、床下基盤１１と腰掛け部５との間の隙間の誤差もアジャスタ装置１０を調整することで、簡単に対応できるものである。
【００１０】
【発明の実施の形態】
以下、本発明を添付図面に示す実施形態に基づいて説明する。
【００１１】
床１の開口部２の内周部には腰掛け部５が内装してあり、床１の開口部２の中央部の腰掛け部５に囲まれた部分に掘りテーブル３の箱体４が内装してある。掘りテーブル３は箱体４に天板部１２の下面部から脚１３を垂設し、この脚１３の下部を上方が開口した箱体４の底部に立設固着して構成したものである。
【００１２】
腰掛け部５は、腰掛け部５の主体を構成する本体部１４と、本体部１４の上に着脱自在に載置される座部６とで構成してあり、本体部１４は上方が開口する箱状をしていて内部が床下収納部７となっている。この内部が床下収納部７となった本体部１４は直接又は取付け金具を介して床１の開口部２の周囲の大引等の床下構造体１５に取付けてある。更に、図１に示すように、地面のような床下基盤１１と本体部１４の下面との間にアジャスタ装置１０を介在させてアジャスタ装置１０により腰掛け部５の主体を構成する本体部１４を床下基盤１１に支持させてある。ここで、床下基盤１１と腰掛け部５との間の隙間が現場により異なっていてもアジャスタ装置１０を調整することで確実にアジャスタ装置１０により本体部１４を床下基盤１１に支持させることができるものである。このように、腰掛け部５は床下構造体１５への固定とアジャスタ装置１０による支持とにより大きな荷重を受けても支障がないように取付けてある。
【００１３】
本体部１４の側面部（床下構造体１５への固定側の側面部と反対側の側面部）には外面上部に受け桟１６固着してあり、この受け桟１６に箱体４の上開口に設けた取付け金具１７のフランジ部が載設されて固着具により固着してある。腰掛け部５に囲まれた部分に内装される箱体４はこのようにして腰掛け部５に取付けられるものであるが、これに加えて更に必要に応じて地面のような床下基盤１１と箱体４の下面との間にアジャスタ装置１０を介在させてアジャスタ装置１０により箱体４を床下基盤１１に支持させてもよいものである。このように箱体４を腰掛け部５への固定による取付けと、アジャスタ装置１０による支持とで支持することで、箱体４を大型としても箱体４にかかる大きな荷重を受けても支障がないように取付けることができるものである。
【００１４】
床１の開口部２の４辺縁にそれぞれ框８が配設してあり、この４本の框８は矩形状に枠組みし、開口部２の内周縁に嵌め込んで取付けてある。
【００１５】
本体部１４の上に着脱自在に載置される座部６はマットレスのようなもので構成してあり、図２に示すように床１の開口部２の４辺縁に設けられた各框８の内面に沿うように４つ設けてある。すなわち、４本の框８を矩形状（実施形態では長方形状）に枠組みした框組みの短辺に沿った短辺側座部６ａが２枚、框組みの長辺に沿った長辺側座部６ｂが２枚、合計４枚設けてある。ここで、４枚の座部６は床１の開口部２の４辺縁に設けられた各框８の内面に沿うように配設した状態で、隣接する座部６同士が互いに内側にずれるのを防止するためのずれ防止用嵌め合い手段９により接合されていて、座部６がずれようとしても隣接する座部６によりずれが防止されるようになっている。
【００１６】
図２に示す実施形態においては、框組みの短辺に沿う短辺側座部６ａの内側縁部の両側部にそれぞれ凹状をした嵌め合い部９ａが設けてあり、嵌め合い部９ａ同士が対向するように２枚の短辺側座部６ａをそれぞれ対向する短辺側の框８に沿わせて配置する。また、長辺側座部６ｂは長辺側の長さが対向する短辺側座部６ａの嵌め合い部９ａ間の長さに等しく設定してあり、また、長辺側座部６ｂの両端部に被嵌め合い部９ｂが設けてある。そして、長辺側座部６ｂをそれぞれ框組の対向する長辺側の框８に沿わせて配置し、ずれ防止用嵌め合い手段９を構成する嵌め合い部９ａと被嵌め合い部９ｂとを嵌め合わせることで、隣接する座部６同士が互いに内側にずれるのが防止してある。このように、隣接する座部６同士を水面面において互いに内側にずれるのを防止するためのずれ防止用嵌め合い手段９により接合することで、特別な固定部品を用いることなく、嵌め合いにより隣接する座部６同士をずれないように框８の内面に沿って配設できるものであり、しかも各座部６を上方向には簡単に取り外すことができるようになっている。
【００１７】
座部６を取付けた状態で、図２に示すように、座部６の内側端部が掘りテーブル３の箱体４の上端部よりも内側に向けて少し突出していて突出部１８となっている。しかして、嵌め合い部９ａと被嵌め合い部９ｂにより構成されるずれ防止用嵌め合い手段９による嵌め合い部分がぴったりとした嵌め合いであっても、上記した座部６に設けた突出部１８に手に掛けて座部６上方に引き上げることで、軽い力で簡単に任意の座部６を上方に引き上げて嵌め合い部９ａと被嵌め合い部９ｂとによる嵌め合いを解除して座部６を取り外して、腰掛け部５内に設けた床下収納部７内への収納物の出し入れを行うことができるものである。
【００１８】
一方、掘りテーブル３を使用する場合には、掘りテーブル３の周囲の腰掛け部５の座部６に腰を掛けるとともに足を箱体４内に入れるものである。
【００１９】
なお、掘りテーブル３の底部にヒータパネル（図示せず）を配置することで、掘りテーブル３を掘りこたつとしても使用することが可能となるものである。もちろんヒータパネルを用いないものであってもよい。
【００２０】
【発明の効果】
上記のように本発明の請求項１記載の発明にあっては、床の開口部の内周部に腰掛け部を設けるとともに腰掛け部に囲まれた部分に掘りテーブルの上方が開口した箱体を内装し、腰掛け部内に床下収納部を設け、腰掛け部の座部を着脱自在として床下収納部を開閉自在としてあるので、掘りテーブルを使用するに当たり、従来のように床に直接腰を降ろすことなく、掘りテーブルに備わった座部に腰を降ろして快適に使用できるものであり、また、座部が掘りテーブルに備わっていることで、従来の座布団のように移動したりせずに、外観がよく、また、掘りテーブルにテーブルとしての機能の他に床下収納部としての機能を付加できて床下を有効に利用できるとともに商品価値を高めることができるものであり、また、座部を開閉することで床下収納部への収納物を出し入れできて、構造が簡略化するものである。また、床の開口部の４辺縁に設けられた各框の内面に沿って４つの座部を配置し、隣接する座部同士を互いに内側にずれるのを防止するためのずれ防止用嵌め合い手段により接合しているので、特別な固定部品を用いることなく、嵌め合いにより隣接する座部同士をずれないように框の内面に沿って配設できるものであり、座部の配設が簡単な構成で正確な位置に確実に配設できるものである。更に、座部の内側端部が掘りテーブルの箱体の上端部よりも内側に向けて突出しているので、座部の内側端部が掘りテーブルの箱体の上端部よりも内側に向けて突出した部分に手を掛けて持ち上げて簡単に座部を取り外すことができるものであり、座部を取り外して床下収納部内への収納物の出し入れが容易にできるものである。
【００２３】
また、請求項２記載の発明にあっては、上記請求項１記載の発明の効果に加えて、内部が床下収納部となった腰掛け部をアジャスタ装置により床下基盤に支持してあるので、腰掛け部にかかる人が座った場合の荷重と床下収納部に収納した収納物の荷重、場合によっては箱体にかかる荷重が合計された大きな荷重をアジャスタ装置により支えて確実に支持できるものであり、また、床下基盤と腰掛け部との間の隙間の誤差もアジャスタ装置を調整することで簡単に対応してアジャスタ装置により支持できるものである。
【図面の簡単な説明】
【図１】本発明の断面図である。
【図２】同上の平面図である。
【符号の説明】
１  床
２  開口部
３  掘りテーブル
４  箱体
５  腰掛け部
６  座部
７  床下収納部
８  框
９  ずれ防止用嵌め合い手段
１０  アジャスタ装置
１１  床下基盤
【図１】
0004277371.tif 000002
【図２】
0004277371.tif 000003